(57)【要約】【課題】使用者が手かざし操作によって吐水を行おうとしたときに、人体検知センサが手かざしした手を誤検知してしまう恐れのない手かざし式の人体検知センサを備えた自動水栓を提供する。【解決手段】使用者の手かざし操作に応じて非接触で人体検知し、人体検知するごとに吐水と止水とを交互に切り換える温水用センサ２６と浄水用センサ２８とを吐水管１４に並べて配置するとともに、各対応した吐水の種類を表示する表示部６６及び６８を吐水管１４に設けて成る自動水栓において、表示部６６を浄水用センサ２８とは反対側の位置に温水用センサ２６に隣接して配置し、また表示部６８を温水用センサ２６とは反対側の位置に浄水用センサ２８に隣接して配置しておく。【選択図】        図２
2010133132.tif 000002
【特許請求の範囲】
【請求項１】
使用者の手かざし操作に応じて非接触で人体検知し、人体検知するごとに吐水と止水とを交互に切り換える第１及び第２の少なくとも２種の人体検知センサを吐水管に並べて配置するとともに、該第１の人体検知センサに対応した吐水の種類を表示する第１の表示部、及び該第２の人体検知センサに対応した吐水の種類を表示する第２の表示部を該吐水管に設けて成る自動水栓において
前記第１の表示部を、前記第２の人体検知センサから遠い側の、該第２の人体検知センサとは反対側の位置において前記第１の人体検知センサに隣接して配置するとともに、前記第２の表示部を、該第１の人体検知センサから遠い側の、該第１の人体検知センサとは反対側の位置において該第２の人体検知センサに隣接して配置してあることを特徴とする自動水栓。
【請求項２】
請求項１において、前記吐水管が逆Ｕ字状のグースネック形状をなしていて、最上位の部位から先端に向かって下がり形状をなす部分に、前記第１の人体検知センサ及び第２の人体検知センサが、該第１の人体検知センサを下に、該第２の人体検知センサを上にして上下に並べて設けてあり、前記第１の表示部が該第１の人体検知センサの下側に、前記第２の表示部が該第２の人体検知センサの上側にそれぞれ配置してあることを特徴とする自動水栓。
【請求項３】
請求項２において、前記第１の表示部における光表示部が前記第１の人体検知センサのセンサ窓部の下端部に、前記第２の表示部における光表示部が前記第２の人体検知センサのセンサ窓部の上端部にそれぞれ配置してあることを特徴とする自動水栓。
【請求項４】
請求項１〜３の何れかにおいて、前記第１の表示部及び第２の表示部の少なくとも一方の光表示部が、止水時には点灯し、吐水時には点滅し且つ吐水温度に応じて発光色を変化させるものとなしてあることを特徴とする自動水栓。
【発明の詳細な説明】
【技術分野】
【０００１】
この発明は、人体検知センサによる人体検知に基づいて吐水を自動的に行う自動水栓に関し、詳しくは人体検知センサが使用者の手かざし操作に応じて非接触で人体検知し、人体検知するごとに吐水と止水とを交互に切り換えるセンサであって、且つ吐水の種類を表示する表示部を吐水管に備えた自動水栓に関する。
【背景技術】
【０００２】
従来、人体検知センサによる人体検知に基づいて吐水を自動的に行う自動水栓が広く用いられている。
例えば公共トイレ等において、吐水管の先端部に人体検知センサを吐水口からの吐水の方向と同方向に向けて、詳しくは検知方向が吐水の方向と同方向となるように人体検知センサを設け、そして人体検知センサにより差し出された手を検知（人体検知）することで吐水口から自動的に吐水し、また人体検知センサが人体非検知となったところで吐水を自動的に停止する自動水栓が手洗用水栓として広く用いられている。
【０００３】
ところで、近年においては自動水栓が家庭のキッチン用水栓等としても用いられるようになってきており、この場合、人体検知センサの検知方向を吐水口からの吐水の方向と同方向に向け、また人体検知により自動吐水、人体非検知により自動止水させるようにしておくと自動水栓が使い勝手の悪いものとなってしまう。
【０００４】
このような自動水栓をキッチン用水栓として用いたとき、流し台のシンクに向かって炊事作業等をする際、吐水の意図がないにも拘らず作業者の手が人体検知センサの検知エリア内に入ることによって吐水口から吐水されてしまったり、或いは洗い物等をする際に、連続吐水させたいにも拘らず食器や鍋或いは作業者の手が検知エリア外にあることによって吐水が行われなかったり、或いは手等が検知エリア内に入ったり出たりすることで、吐水が行われたり吐水停止してしまったりするといったことが起り得る。
【０００５】
このような場合には人体検知センサの検知方向を吐水口からの吐水の方向とは別方向、つまり吐水方向前方の人体その他の対象物を検知しない方向となした上で、また人体検知するごとに吐水と止水とを交互に行わせるようにしておくことが望ましい。
【０００６】
そのようにしておけば、人体検知センサの検知方向の前方に使用者が手かざしすることで吐水を行わせ且つこれを続行させることができる。また止水をしたいときには、人体検知センサの検知方向の前方に使用者が手かざしすることで吐水停止、即ち止水させることができる。
【０００７】
また自動水栓をキッチン用水栓として用いる場合には、例えば水（冷水）と適温に温調された温水、或いは温水と浄水（水道水を浄化処理した水）等の少なくとも２種類の吐水を吐水可能としておくことが自動水栓の利便性を高めることができて望ましい。
【０００８】
この場合、吐水の種類に応じて第１の人体検知センサと第２の人体検知センサとを吐水管に設けるに際し、吐水管にはそのためのスペースを多く確保することが難しいことから、通常はそれら第１の人体検知センサと第２の人体検知センサとを並べて設けることとなる。
例えばこのような自動水栓は下記特許文献１，特許文献２に開示されている。
【０００９】
ところでこれら人体検知センサは通常は透光性を有するセンサ窓部の下側に隠れた位置にあり、またどの人体検知センサがどの種類の吐水に対応したセンサであるかを表示するため、吐水管にはそのための表示部を各センサに対応した位置に設けておく。
【００１０】
図３（Ａ）は、このような人体検知センサ及び表示部の具体例を示している。
図３（Ａ）において、２００は第１の人体検知センサ（ここでは温水を吐水するためのセンサ）、２０２は第２の人体検知センサ（浄水を吐水するためセンサ）で、それぞれ透光性を有するセンサ窓部２０４の裏側に設けられている。
２０６Ａ，２０６Ｂは、それぞれ第１の人体検知センサ２００に対応した吐水の種類を表示する文字表示部，光表示部（ここではＬＥＤ）で、それらが第１の表示部２０６を成している。
一方２０８Ａ，２０８Ｂは、それぞれ第２の人体検知センサ２０２に対応した吐水の種類を表示する文字表示部，光表示部（ここではＬＥＤ）で、それらが第２の表示部２０８を成している。
【００１１】
ここで文字表示部２０６Ａ，２０８Ａは、それぞれ第１の人体検知センサ２００，第２の人体検知センサ２０２に隣接した上側位置に設けてあり、また光表示部２０６Ｂ，２０８Ｂは、それぞれ第１の人体検知センサ２００，第２の人体検知センサ２０２に対しほぼ重なる位置に設けてある。
【００１２】
ところでこのように表示部を配置した場合、水栓の使用者は第１の表示部２０６又は第２の表示部２０８、とりわけ光表示部２０６Ｂ又は２０８Ｂを目指して第１の人体検知センサ２００又は第２の人体検知センサ２０２を手かざし操作する傾向のあることが本発明者らの調査により判明した。
【００１３】
この場合、使用者が第２の人体検知センサ２０２を手かざし操作しようとしたとき、第２の表示部２０８、とりわけ光表示部２０８Ｂが第１の人体検知センサ２００に比較的近い位置にあるため、その動作の途中で手かざしした手が第１の人体検知センサ２００の検知エリア内に入ってしまって第１の人体検知センサ２００がこれを誤検知してしまい、使用者が本来浄水を吐水しようとしたにも拘らず、誤って温水が吐水されてしまうといった恐れが生ずる。
【００１４】
この場合、第２の人体検知センサ２０２を第１の人体検知センサ２００から図中上向きに大きく離して設けておくといったことも考えられるが、実際にはそうしたことは困難である。
もともとがセンサ設置のためのスペースを広くとることが難しい吐水管に、そのような広いセンサ設置のためのスペースを確保することが困難であるのに加えて、第２の人体検知センサ２０２が第１の人体検知センサ２００から図中上向きに遠く離れた位置となって、使用者からの距離がより一層遠くなり、手かざし操作の際の操作性が悪化してしまう。
【００１５】
また吐水管が逆Ｕ字状のグースネック形状をなしていて、人体検知センサが吐水管に沿って上下に並べて設置してある場合、上側の位置にある第２の人体検知センサ２０２を更に上方に移行させると、例えばキッチンに昇降可能に設けられている昇降キャビネットを下降させたときに、誤ってこれを検知してしまう恐れが生ずる。
【００１６】
【特許文献１】特開２００６−１４４３２６号公報
【特許文献２】特開２００４−９２０２３号公報
【発明の開示】
【発明が解決しようとする課題】
【００１７】
本発明は以上のような事情を背景とし、使用者が手かざし操作によって吐水を行おうとしたときに、人体検知センサが手かざしした手を誤検知してしまう恐れのない手かざし式の人体検知センサを備えた自動水栓を提供することを目的としてなされたものである。
【課題を解決するための手段】
【００１８】
而して請求項１のものは、使用者の手かざし操作に応じて非接触で人体検知し、人体検知するごとに吐水と止水とを交互に切り換える第１及び第２の少なくとも２種の人体検知センサを吐水管に並べて配置するとともに、該第１の人体検知センサに対応した吐水の種類を表示する第１の表示部、及び該第２の人体検知センサに対応した吐水の種類を表示する第２の表示部を該吐水管に設けて成る自動水栓において、前記第１の表示部を、前記第２の人体検知センサから遠い側の、該第２の人体検知センサとは反対側の位置において前記第１の人体検知センサに隣接して配置するとともに、前記第２の表示部を、該第１の人体検知センサから遠い側の、該第１の人体検知センサとは反対側の位置において該第２の人体検知センサに隣接して配置してあることを特徴とする。
【００１９】
請求項２のものは、請求項１において、前記吐水管が逆Ｕ字状のグースネック形状をなしていて、最上位の部位から先端に向かって下がり形状をなす部分に、前記第１の人体検知センサ及び第２の人体検知センサが、該第１の人体検知センサを下に、該第２の人体検知センサを上にして上下に並べて設けてあり、前記第１の表示部が該第１の人体検知センサの下側に、前記第２の表示部が該第２の人体検知センサの上側にそれぞれ配置してあることを特徴とする。
【００２０】
請求項３のものは、請求項２において、前記第１の表示部における光表示部が前記第１の人体検知センサのセンサ窓部の下端部に、前記第２の表示部における光表示部が前記第２の人体検知センサのセンサ窓部の上端部にそれぞれ配置してあることを特徴とする。
【００２１】
請求項４のものは、請求項１〜３の何れかにおいて、前記第１の表示部及び第２の表示部の少なくとも一方の光表示部が、止水時には点灯し、吐水時には点滅し且つ吐水温度に応じて発光色を変化させるものとなしてあることを特徴とする。
【発明の作用・効果】
【００２２】
以上のように本発明は、第１の人体検知センサに対応した第１の表示部を、第２の人体検知センサから遠い側の、第２の人体検知センサとは反対側の位置において第１の人体検知センサに隣接して配置するとともに、第２の人体検知センサに対応した第２の表示部を、第１の人体検知センサから遠い側の、第１の人体検知センサとは反対側の位置において第２の人体検知センサに隣接して配置したものである。
【００２３】
かかる本発明の自動水栓にあっては、例えば第２の人体検知センサを手かざし操作しようとして使用者が第２の表示部を目指して手を延ばしたときに、その第２の表示部は、第１の人体検知センサから遠く離れた位置にあるため、第１の人体検知センサが誤ってこれを検知してしまうのを効果的に防止できる。
また同様に、使用者が第１の人体検知センサを手かざし操作しようとして第１の表示部を目指して手を延ばしたときにおいても、第２の人体検知センサがこれを誤って検知するのを効果的に防止することができる。
【００２４】
かかる本発明では、表示部の位置を上記のような位置とすることによって、その表示部の位置の効果によって、人体検知センサによる誤検知を防止するものであるため、第１の人体検知センサと第２の人体検知センサとを吐水管に並べて設ける場合において、それら第１の人体検知センサと第２の人体検知センサとの間隔を特に広げなくても有効に誤検知を防止することができる。
【００２５】
従って誤検知防止のために、２種類の人体検知センサを大きく離して設置することによって、吐水管のセンサ設置のためのスペースが広くとられてしまったり、或いは手かざし操作がし難くなったりする不都合を回避することができる。
また本発明によれば、第１の表示部と第２の表示部とが遠く離れて位置することとなるので、使用者が手かざし操作するに際して、どこに手をかざせば良いか分り易いといった利点も得られる。
【００２６】
本発明においては、第１の人体検知センサと第２の人体検知センサとを、使用者から見た正面視において左右に並べて吐水管に設けておくといったことも可能であるが、吐水管が逆Ｕ字状のグースネック形状をなしている場合において、請求項２に従い、吐水管の最上位の部位から先端に向かって下がり形状をなす部分に第１の人体検知センサを下に、また第２の人体検知センサを上にしてそれらを上下に並べて設け、そして第１の表示部を第１の人体検知センサの下側に、第２の表示部を第２の人体検知センサの上側にそれぞれ配置しておくことができる。
【００２７】
吐水管がこのような逆Ｕ字状のグースネック形状をなしている場合、吐水管の最上位を超えて更に奥側に離れた後方に第２の人体検知センサを設けるといったことは困難である。そのようにすると第２の人体検知センサ及び第２の表示部の視認性が悪くなり、また操作もしづらくなる。
従って第１の人体検知センサ，第２の人体検知センサ及び対応した表示部を、吐水管の最上位の部位から先端にかけて下がり形状となっている部分に設けるのが好適である。
【００２８】
但しこの場合においても、第２の人体検知センサを第１の人体検知センサから離れてより後方且つ上方に配置すると、第２の人体検知センサの検知方向がより上向きとなり、キッチンに備え付けてある昇降キャビネットを下降させたような場合、第２の人体検知センサがこれを誤検知してしまう恐れが生ずる。
【００２９】
しかるに本発明では第１の人体検知センサと第２の人体検知センサとを大きく離して設置する必要がないため、そのような不具合を有効に回避することができる。
即ち本発明は、このようなグースネック形状の吐水管を有する自動水栓に適用して特に効果の大なるものである。
【００３０】
この請求項２においては、第１の表示部における光表示部を第１の人体検知センサのセンサ窓部の下端部に、また第２の表示部における光表示部を第２の人体検知センサのセンサ窓部の上端部に設けておくことができる（請求項３）。
【００３１】
次に請求項４は、第１の表示部及び第２の表示部の少なくとも一方の光表示部を、止水時には点灯し、吐水時には点滅し且つ吐水温度に応じて発光色を変化させる光表示部を有するものとなしておくことができる。
このようにすれば、単一の光表示部によって吐水の種類と吐水又は止水の状態の表示、更には吐水温度を表示することが可能となる。
【発明を実施するための最良の形態】
【００３２】
次に本発明をキッチン用水栓として好適な自動水栓に適用した場合の実施形態を図面に基づいて以下に詳しく説明する。
図１において、１０はカウンタで、このカウンタ１０上に起立する状態で水栓本体部１２が設けられ、更にこの水栓本体部１２から吐水管１４が延び出している。
吐水管１４は、管軸方向において吐水口１６を有する先端側の吐水ヘッド１８と、基端側の吐水管本体２０との分割構造とされている。
【００３３】
吐水管本体２０には、可撓性を有する給水ホース（図示省略）が挿通されてそこに収納され、この給水ホースが吐水ヘッド１８に接続されている。
吐水ヘッド１８は、この給水ホースとともに吐水管本体２０から引出可能とされている。
即ちこの実施形態の自動水栓はホース収納式の自動水栓である。
【００３４】
吐水管本体２０には、その上面に第１の人体検知センサとしての温水用センサ２６と、第２の人体検知センサとしての浄水用センサ２８とが設けられている。
ここで温水用センサ２６，浄水用センサ２８は何れも光センサから成っている。即ち発光素子から光を発光し、そして人体による反射光を受光素子で受光することで人体検知するようになっている。
これら温水用センサ２６及び浄水用センサ２８はそれぞれ上方に向けて、詳しくは使用者に向かって斜め前方の上方に向けて設けられている。
【００３５】
即ち、吐水口１６からの吐水の方向が下向きであるのに対し、これら温水用センサ２６及び浄水用センサ２８は、それぞれ検知方向が吐水の方向とは異なった方向とされており、吐水口１６からの吐水方向前方の人体やその他の対象物を検知しない向きで設けられている。
【００３６】
ここで温水用センサ２６は、その検知方向前方即ち上方に使用者が手かざししたとき、これを検知して吐水口１６から水と湯とを所定比率で混合して適温に温度調節した温水を吐水させる。
温水用センサ２６は、その後人体非検知となっても温水の吐水を継続させ、そして再び使用者による手かざし操作によって人体検知したとき、吐水口１６からの温水の吐水を停止させる。
【００３７】
浄水用センサ２８もまた同様で、使用者の手かざし操作によって人体検知すると、そこで吐水口１６から浄水を吐水させる。
浄水用センサ２８は、その後人体非検知となっても浄水の吐水を継続させ、そして再び使用者が手かざし操作をすることによって人体検知したときに、そこで浄水の吐水を停止させる。
即ち温水用センサ２６，浄水用センサ２８は、何れも人体検知するごとに吐水と止水とを交互に切り換える手かざし式の交互センサとされている。
【００３８】
上記水栓本体部１２は、その内部に設けられた混合弁３０と、これを操作するレバーハンドル３２とを有している。ここで混合弁３０は、水と湯とを所定比率で混合して適温の温水とする。
レバーハンドル３２は、左右回動操作によって水と湯との混合比率を調節し、即ち混合水の温度を調節し、また上下回動操作によって温水の吐水流量を調節する。
【００３９】
この実施形態において、給水元管からの水はカウンタ１０下の止水栓３４を経て給水路３６を通じ混合弁３０へと供給される。
また給湯元管からの湯が、止水栓３８を経て給湯路４０を通じ混合弁３０へと供給される。
そして混合弁３０に供給された水と湯とが、混合弁３０で所定比率で混合されて適温の温水とされ、混合弁３０から延び出した流出管へと流出せしめられる。
【００４０】
この流出管には、上記の可撓性の給水ホースが接続されており、それら流出管と給水ホースとによって、その内部に流出路４２が形成されている。
即ち上記可撓性を有する給水ホースは、カウンタ１０の下方に垂れ下がっており、吐水ヘッド１８とは反対側の端部が混合弁３０から下向きに延び出した流出管に接続されている。
図中４２Ａは混合弁３０側の流出路を、また４２Ｂは給水ホース側の流出路をそれぞれ表している。
【００４１】
カウンタ１０の下方には制御ボックス１５が配置されており、そしてその制御ボックス１５の内部において、流出路４２上にこれを開閉する電磁弁４４が設けられていて、その電磁弁４４の開閉により、吐水口１６からの温水の吐水と止水とが行われる。
【００４２】
制御ボックス１５の内部にはまた、マイコンを主要素とする制御部４６が設けられ、この制御部４６に対して電磁弁４４が電気的に接続されている。
ここで制御部４６は、電磁弁４４の作動制御を行う。
この制御部４６にはまた、上記の温水用センサ２６及び浄水用センサ２８が電気的に接続されている。
制御部４６は、温水用センサ２６による人体検知に基づいて電磁弁４４を開閉制御し、吐水口１６からの温水の吐水と止水とを制御する。
尚給水路３６，給湯路４０上には混合弁３０側への水，湯の流れのみを許容し、逆方向の流れを阻止する逆止弁４８が設けられている。
【００４３】
給水元管からの水はまた、逆止弁４８の下流部で給水路３６から分岐した浄水路５０に取り出され、そして浄水路５０上に設けられた浄水器５２のフィルタを通過してそこで浄化された上で、浄化後の水（浄水）が、混合弁３０をバイパスして流出路４２に導かれ、そしてその流出路４２を通じて吐水ヘッド１８の吐水口１６から吐水されるようになっている。
この浄水路５０上には、浄水器５２への原水の流入側において電磁弁５４と定流量弁５６とが設けられている。
【００４４】
電磁弁５４は制御部４６に電気的に接続されており、制御部４６による電磁弁５４の開閉制御によって、吐水口１６からの浄水の吐水と止水とが行われる。
詳しくは、浄水用センサ２８による人体検知に基づいて電磁弁５４が制御部４６により開閉制御されることによって、浄水の吐水と止水とが行われる。
【００４５】
図１に示しているように、吐水管１４は逆Ｕ字状のグースネック形状をなしており、その最上位の部位から先端の吐水口１６に向かって下がり形状をなしている。
そしてその最上位の部位と吐水管本体２０の先端との間の中間部分に、上記の温水用センサ２６と浄水用センサ２８とが設けられている。
【００４６】
詳しくは、吐水管１４には平面形状が管軸方向に長い矩形状をなす透光性のセンサ窓部６０，６２が管軸方向に、即ち使用者から見て上下方向に並べて設けられており、そしてそれらセンサ窓部６０，６２の裏側の位置に上記の温水用センサ２６及び浄水用センサ２８が管軸方向に並べて設けられている。
【００４７】
図２（Ａ）及び図３（Ｂ）に示すように、吐水管１４には温水用センサ２６の下側位置、詳しくはセンサ窓部６０の下側位置に、温水用センサ２６に対応した吐水の種類、即ち温水を表示する文字表示部６４Ａが温水用センサ２６に隣接して設けられている。また温水を表示する光表示部（ここではＬＥＤ）６４Ｂが、センサ窓部６０の下端部に設けられている。
【００４８】
ここで文字表示部６４Ａと光表示部６４Ｂとは温水を表示するための第１の表示部６６を成している。
即ち、第２の人体検知センサとしての浄水用センサ２８から遠い側の、浄水用センサ２８とは反対側の位置において、第１の人体検知センサとしての温水用センサ２６に対応した表示部６６が温水用センサ２６に隣接してその下側に配置されている。
尚この実施形態では、図１の水栓本体部１２のレバーハンドル３２の操作によって温水のみならず水又は湯のみの吐水も可能であるため（但し通常は温水）、実際には文字表示部６４Ａは湯水の文字にて温水を表示している。
【００４９】
吐水管１４にはまた、温水用センサ２６から遠い側の、温水用センサ２６とは反対側の位置において、第２の人体検知センサとしての浄水用センサ２８に隣接して浄水を表す文字表示部６８Ａが設けられている。
更に浄水用センサ２８のセンサ窓部６２の上端部に、同じく浄水を表す光表示部（ここではＬＥＤ）６８Ｂが設けられている。
ここで文字表示部６８Ａと光表示部６８Ｂとは、その全体が浄水を表示する第２の表示部６８を成している。
【００５０】
ここで光表示部６８Ｂは、浄水を吐水していないときには点灯保持（ここでは青色に点灯保持）し、一方浄水を吐水しているときには点滅状態となって、現在浄水が吐水されていることを併せて表示する。
一方光表示部６４Ｂは、温水が吐水されていないときには点灯保持（ここではオレンジ色に点灯保持）し、また温水（又は水若しくは湯）が吐水されているときには点滅状態となって、現在温水（又は水若しくは湯）が吐水されていることを表示する。
この実施形態において、光表示部６４Ｂは３色ＬＥＤから成っている。詳しくは赤（Ｒeｄ），緑（Ｇｒｅｅｎ）及び青（Ｂｌｕｅ）を発色するＬＥＤをユニット化した３色ＬＥＤから成っており、無段階で連続的に色変化が可能である。
【００５１】
この実施形態において、３色ＬＥＤから成る光表示部６４Ｂは、温水（又は水若しくは湯）を吐水中においては吐水温度に応じて発色を変化させ、その発色に基づいて現在の吐水の温度を表示する。
即ち、図２（Ｂ）に示しているように吐水の温度が３０℃以下の冷たい水のときには青色を発色し、また吐水の温度が中間の温度、具体的にはここでは３８〜４２℃のときにはオレンジ色に発色し、更に吐水の温度が高温のとき、具体的には４５℃以上の高温のときには赤色に発色し、現在の吐水の温度を表示する。
但し吐水停止状態となったときにはもとのオレンジ色に戻る。
【００５２】
この実施形態の場合、水栓の使用者は浄水を吐水させたいときには、温水用センサ２６から遠く離れた浄水を表示する第２の表示部６８（特に光表示部６８Ｂ）を目指して手かざし操作を行う。
このとき、表示部６８は温水用センサ２６から遠く離れた位置にあるため、使用者が手かざし操作したときに、差し出した手が温水用センサ２６の検知エリアに入ってしまうのを有効に防止でき、従って温水用センサ２６による誤検知を防止することができる。
【００５３】
また使用者が温水を吐水させたいときには、浄水用センサ２８から遠く離れた温水を表示する第１の表示部６６（特に光表示部６４Ｂ）を目指して手かざし操作する。
このときにも表示部６６は浄水用センサ２８から遠く離れた位置にあるため、その際の手かざし操作によって、浄水用センサ２８が差し出された手を誤検知してしまうのを防止することができる。
【００５４】
以上のように本実施形態の自動水栓にあっては、例えば浄水用センサ２８を手かざし操作しようとして使用者が第２の表示部６８を目指して手を延ばしたときに、温水用センサ２６が誤ってこれを検知してしまうのを効果的に防止できる。
また同様に、使用者が温水用センサ２６を手かざし操作しようとして第１の表示部６６を目指して手を延ばしたときにおいても、浄水用センサ２８がこれを誤って検知するのを効果的に防止することができる。
【００５５】
その誤検知防止の効果は、表示部６６，６８の位置を上記のような位置とすることによって得られるものであり、従って温水用センサ２６と浄水用センサ２８とを吐水管１４に並べて設ける場合において、それら温水用センサ２６と浄水用センサ２８との間隔を特に広げなくても有効に誤検知防止することができる。
【００５６】
それ故誤検知防止のために、温水用センサ２６と浄水用センサ２８とを大きく離して設置することによって、吐水管１４のセンサ設置のためのスペースが広くとられてしまったり、或いは手かざし操作がし難くなったりする不都合を回避することができる。
【００５７】
更に逆Ｕ字状のグースネック形状をなす吐水管に温水用センサ２６と浄水用センサ２８とを設けるに当って浄水用センサ２８を温水用センサ２６から離れてより後方且つ上方に配置しなくても良いので、浄水用センサ２８の検知方向がより上向きとなって、キッチンに備え付けてある昇降キャビネットを下降させたような場合、浄水用センサ２８がこれを誤検知してしまう恐れも無くすことができる。
また表示部６６と表示部６８とが遠く離れて位置することとなるので、使用者が手かざし操作するに際して、どこに手をかざせば良いか分り易いといった利点も得られる。
【００５８】
更に表示部６６における光表示部６４Ｂが、止水時には点灯保持し、吐水時には点滅し且つ吐水温度に応じて発光色を変化させるものとなしてあるため、単一の光表示部６４Ｂにて吐水の種類と吐水又は止水の状態の表示、更には吐水温度の表示を行うことができる。
【００５９】
以上本発明の実施形態を詳述したがこれはあくまで一例示である。
例えば上記実施形態では温水用センサ２６を第１の人体検知センサとして、また浄水用センサ２８を第２の人体検知センサとして説明したが、場合によって浄水用センサ２８を下に、温水用センサ２６を上に配置して、下位置の浄水用センサ２８を第１の人体検知センサとし、また上位置の温水用センサ２６を第２の人体検知センサとなすことも可能である。
【００６０】
またこれに伴って温水を表示する表示部６６を上位置に、浄水を表示する表示部６８を下位置に配置して、上位置の表示部６６を第２の表示部となし、また下位置の表示部６８を第１の表示部となすことも可能である。
【００６１】
更に本発明では水（冷水）と温水とを択一的に吐水するようにし、それぞれに応じた人体検知センサを第１の人体検知センサ，第２の人体検知センサとして設けておき、更にそれぞれに応じた表示部を設けておくといったことも可能である。
【００６２】
また本発明では、第３の種類の吐水を行うように自動水栓を構成し、そしてその第３の吐水の種類に応じたセンサを吐水管に設けておくといったことも可能である等、本発明はその趣旨を逸脱しない範囲において種々変更を加えた形態で構成可能である。
【図面の簡単な説明】
【００６３】
【図１】本発明の一実施形態である自動水栓の概略全体図である。
【図２】同実施形態の自動水栓の要部を拡大して示す図である。
【図３】同実施形態の自動水栓の要部を従来例と比較して示す図である。
【符号の説明】
【００６４】
１４  吐水管
２６  温水用センサ（第１の人体検知センサ）
２８  浄水用センサ（第２の人体検知センサ）
６０  センサ窓部
６２  センサ窓部
６４Ｂ，６８Ｂ  光表示部
６６  表示部（第１の表示部）
６８  表示部（第２の表示部）
【図１】
2010133132.tif 000003
【図２】
2010133132.tif 000004
【図３】
2010133132.tif 000005